(57)【要約】【課題】送信されてきたデータがどのメディアを用いて送信されてきたのかを、受取者がデータの内容を認知する前（例えば電話器で通話する前）に知ることができる受信装置を提供する。【解決手段】データを受信する受信部１と、前記受信部１で受信したデータがどのメディアにより送信されたデータであるか否かを判断するメディア判断部９と、前記受信部１がデータを受信した際に、前記メディア判断部９による判断に従って、どのメディアであるかを五感のうち一つ以上の感覚で区別できるように出力するメディア種別出力部１０とを具備する受信装置Ｐ１を構成した。  【選択図】図１０
2006287984.tif 000002
【特許請求の範囲】
【請求項１】
データを受信する受信部と、
前記受信部で受信したデータがどのメディアにより送信されたデータであるか否かを判断するメディア判断部と、
前記受信部がデータを受信した際に、前記メディア判断部による判断に従って、どのメディアであるかを五感のうち一つ以上の感覚で区別できるように出力するメディア種別出力部とを具備する受信装置。
【請求項２】
データと当該データの受取元を識別する受取元識別子とを有する受取データを受信する受信部と、
受取データを受信した際に、前記受信部で受信した受取元識別子で識別される受取元が五感のうち一つ以上の感覚で区別できるように出力する受取元出力部と、
前記受信部で受信したデータがどのメディアにより送信されたデータであるか否かを判断するメディア判断部と、
前記受信部がデータを受信した際に、前記メディア判断部による判断に従って、どのメディアであるかを五感のうち一つ以上の感覚で区別できるように出力するメディア種別出力部とを具備する受信装置。
【請求項３】
データと当該データの送信場所を特定するための情報である場所情報とを有する受取データを受信する受信部と、
受取データを受信した際に、前記受信部で受信した場所情報を五感のうち一つ以上の感覚で区別できるように出力する場所情報出力部とを
具備する受信装置。
【請求項４】
データと当該データの受取元を識別する受取元識別子と当該データの送信場所を特定するための情報である場所情報とを有する受取データを受信する受信部と、
受取データを受信した際に、前記受信部で受信した受取元識別子で識別される受取元が五感のうち一つ以上の感覚で区別できるように出力する受取元出力部と、
受取データを受信した際に、前記受信部で受信した場所情報を五感のうち一つ以上の感覚で区別できるように出力する場所情報出力部とを具備する受信装置。
【請求項５】
データと当該データの送信場所を特定するための情報である場所情報とを有する受取データを受信する受信部と、
受取データを受信した際に、前記受信部で受信した場所情報を五感のうち一つ以上の感覚で区別できるように出力する場所情報出力部と、
前記受信部で受信したデータがどのメディアにより送信されたデータであるか否かを判断するメディア判断部と、
前記受信部がデータを受信した際に、前記メディア判断部による判断に従って、どのメディアであるかを五感のうち一つ以上の感覚で区別できるように出力するメディア種別出力部とを具備する受信装置。
【請求項６】
データと当該データの受取元を識別する受取元識別子と当該データの送信場所を特定するための情報である場所情報とを有する受取データを受信する受信部と、
受取データを受信した際に、前記受信部で受信した受取元識別子で識別される受取元が五感のうち一つ以上の感覚で区別できるように出力する受取元出力部と、
受取データを受信した際に、前記受信部で受信した場所情報を五感のうち一つ以上の感覚で区別できるように出力する場所情報出力部と、
前記受信部で受信したデータがどのメディアにより送信されたデータであるか否かを判断するメディア判断部と、
前記受信部がデータを受信した際に、前記メディア判断部による判断に従って、どのメディアであるかを五感のうち一つ以上の感覚で区別できるように出力するメディア種別出力部とを具備する受信装置。
【請求項７】
データを送信する送信装置であって、
場所を示す情報である場所情報を自動的に取得する場所情報取得部と、
データと前記場所情報取得部で取得した場所情報とを有する受取データを送信する送信部とを具備する送信装置。
【請求項８】
データを受信する受信ステップと、
前記受信ステップにおいて受信したデータがどのメディアにより送信されたデータであるか否かを判断するメディア判断ステップと、
前記受信ステップにおいてデータを受信した際に、前記メディア判断ステップにおいてした判断に従って、どのメディアであるかを五感のうち一つ以上の感覚で区別できるように出力するメディア種別出力ステップとからなる受信方法。
【請求項９】
データと当該データの送信場所を特定するための情報である場所情報とを有する受取データを受信する受信ステップと、
受取データを受信した際に、受信した場所情報を五感のうち一つ以上の感覚で区別できるように出力する場所情報出力ステップとからなる受信方法。
【請求項１０】
場所を示す情報である場所情報を自動的に取得する場所情報取得ステップと、
データと取得した場所情報とを有する受取データを送信する送信ステップとからなる送信方法。
【発明の詳細な説明】
【技術分野】
【０００１】
本発明は、通話や電子メールに係るデータを受信する電話器等の受信装置等に関する。
【背景技術】
【０００２】
近時、携帯電話を含めた電話器の付加機能が増大し、通話のみならず電子メール等各種データの送受信をも行えるようになってきている。
【０００３】
そしてこのような付加機能の一つとして、電話の着信時にその送信元がわかるようなものが既に知られている。具体的には、電話器の電話番号を登録するときに、その電話番号毎にメロディや名前、あるいは着信色を設定しておき、その電話番号を有した電話器からの電話が着信すると、それに応じて登録したメロディが鳴ったり名前が表示されたり、あるいは着信色が変わったりするものが開発されている。
【発明の開示】
【発明が解決しようとする課題】
【０００４】
しかしながら、例えば共用電話器の場合、上述のようなシステムでは、確かに誰から電話がかかってきたかを知ることができ、そのことから間接的に誰への電話かを類推することが可能であるが、直接的に一体誰に対しての電話であるのかを前もって知ることができない。この点は１つのアドレスを複数人で共有している場合の電子メール等についても同様である。
【０００５】
こういった現状の下、送信されてきたデータの受取者が誰であるかを、受取者がデータの内容を認知する前（例えば電話器で通話する前）に知ることができれば使い勝手が向上し、いたずらなどもより有効に防止できる。また、どのようなメディアを通じて送信されてきたのかとか、どの場所から送信されてきたのかとかいったことも同時に判別できれば利便性がさらに向上すると考えられる。
【０００６】
そこで本発明は、かかる課題を解決すべく、受取者は誰であるのか、どのメディアを用いて送信されてきたのか、どの場所から送信されてきたのか等の付随情報を自動的に受取者に知らせることを主たる目的としている。
【課題を解決するための手段】
【０００７】
すなわち、本発明は、データを受信する受信装置であって、データと当該データの受取元を識別する受取元識別子とを有する受取データを受信する受信部と、受取データを受信した際に、前記受信部で受信した受取元識別子で識別される受取元が五感のうち一つ以上の感覚で区別できるように出力する受取元出力部とを具備するものである。
【０００８】
ここで「受信した際に」とは、受取データを受信することをきっかけとして自動的に、という意味である。「受取データ」は、データと受取元識別子とを有するものであるが、これらデータと受取元識別子とが時間的に連続あるいは同時に一体化してある必要はなく、例えば電話の送受信に関して言えば、受取元識別子が受信された後、通話に関するデータである通話データが受信されるようなものでも構わない。「五感」とは、視覚、聴覚、触覚、嗅覚、味覚のことである。
【０００９】
利便性のさらなる向上等を図るには、受取データがデータの送信元を識別する送信元識別子をも有し、前記受取元出力部が送信元識別子で識別される送信元をも、五感のうち一つ以上の感覚で区別できるように出力するものが好ましい。
【００１０】
この他の具体的態様としては、送信場所を特定するための情報である場所情報を受信し、その場所情報を五感のうち一つ以上の感覚で区別できるように出力するようにしたものや、どのメディアにより送信されたデータであるか否かを判断するメディア判断部を設け、前記メディア判断部による判断に従って、どのメディアであるかを五感のうち一つ以上の感覚で区別できるように出力するようにしたものを挙げることができる。
【００１１】
また、特に場所情報を受信可能な受信装置に好適に対応する送信装置としては、場所を示す情報である場所情報を自動的に取得する場所情報取得部と、データと前記場所情報取得部で取得した場所情報とを有する受取データを送信する送信部とを具備するものが望ましい。
【発明の効果】
【００１２】
以上に詳述した本発明によれば、送信されてきたデータの受取者は誰であるのか、どのメディアを用いて送信されてきたのか、どの場所から送信されてきたのか等の付随情報を自動的に受取者に知らせることができるので、使い勝手が向上し、いたずらなどもより有効に防止できる。
【発明を実施するための最良の形態】
【００１３】
以下、本発明の実施の形態について説明する。
【００１４】
図１は、この実施の形態における受信装置Ｐ１と、この受信装置Ｐ１にデータを送信可能な送信装置Ｐ２とからなる全体システムを示した全体構成図である。
【００１５】
この受信装置Ｐ１は、例えば共用電話であって、図２に示すように、ディスプレイ１０３、スピーカ１０４等の各種出力機構、変復調回路を含むデータ送受信機構１０６、キーボタン１０５、送話器１０７等の他、ＣＰＵ１０１やメモリ１０２を内蔵する。
【００１６】
そして、そのメモリ１０２等に記憶させたプログラムにしたがってＣＰＵ１０１を作動させあるいはＣＰＵ１０１を介さないハード的な作用を利用して、図３に示すように、電話の基本機能の他、通話データを含む本体データと種々の付随データとを有する受取データを受信する受信部１と、前記受信部１が受取データを受信した後、本体データが出力される前に、前記受信部１で受信した受取データに含まれる各種付随データの内容を、五感のうち一つ以上の感覚で区別できるようにそれぞれ自動的に出力する出力部としての機能を少なくとも発揮させるようにしている。
【００１７】
受信部１は、前記データ送受信機構１０６を利用して構成されるもので、前記受取データを受信するものである。この受取データを構成する付随データは、本体データの受取元を識別する受取元識別子と、前記本体データの送信元を識別する送信元識別子と、本体データの送信場所を特定するための情報である場所情報とを有する。
【００１８】
出力部は、受取元出力部２１と場所情報出力部２２との２種が設けてある。
【００１９】
受取元出力部２１は、例えばディスプレイ１０３を利用して構成されるもので、前記受信部１で受信した受取元識別子で識別される受取元が視覚で区別できるように出力する機能を有している。詳述すれば、受信装置Ｐ１のメモリ１０２の所定領域には、図４に示すように、受取元識別子と、ディスプレイ１０３の発光色を示す情報である第１の出力態様情報とを対にして蓄積管理する第１蓄積部５が設定してある。この第１蓄積部５への受取元識別子の登録や出力態様との関連付けは、オペレータからの入力操作により行ってもよいし、自動的にデータをロードするようにしてもよい。そして、受信部１で受信した受取元識別子と一致するものを第１蓄積部５に蓄積した受取元識別子の中から検索し、それに対応付けられている第１の出力態様情報、具体的にはディスプレイ１０３の発光色情報に基づいて、受取元を視覚を通じて種々の色で区別できるようにディスプレイ出力するものである。
【００２０】
この受取元出力部２１は、本実施形態ではさらに送信元識別子で識別される送信元をも、視覚で区別できるように出力する機能を有している。詳細は前述同様である。すなわち受信装置Ｐ１のメモリ１０２の所定領域には、図５に示すように、送信元識別子と、ディスプレイ１０３の発光色を示す情報である第２の出力態様情報とを対にして管理蓄積する第２蓄積部６が設定してあり、受信部１で受信した送信元識別子と一致するものを前記第２蓄積部６に蓄積した送信元識別子の中から検索し、それに対応つけられている発光色情報に基づいて、送信元を視覚を通じて区別できるようにディスプレイ出力するものである。
【００２１】
ここで、送信元と受信元との区別は共通のディスプレイ１０３に色を変えて識別可能に出力されるようにしているが、具体的には、図６に示すように、ディスプレイ１０３を領域Ｓ１と領域Ｓ２とに２分割しておき、一方の領域Ｓ１における発光色が受信元を示し、他方の領域Ｓ２における発光色が送信元を示すようにしている。その他、送信元を示す色と受信元を示す色とを順番に点滅させるような方法でも構わないし、第１又は第２の出力態様情報を送信元あるいは受取元の氏名情報として、その氏名を表示するようにするなどしても構わない。
【００２２】
場所情報出力部２２は、受取元出力部２１と共通するディスプレイ１０３を利用して構成したもので、受取データを受信した際に、前記受信部１で受信した場所情報を視覚で区別できるように出力するものである。具体的には、テキストデータ形式で送られてきた場所情報を、メモリ１０２の所定領域に設定した第３蓄積部７に一旦蓄積した後又は直接的に、ディスプレイ１０３の所定領域ＳＴに受取元が視覚を通じて識別し得るように表示するものである。
【００２３】
なお、これら受取元出力部２１と場所情報出力部２２とは、前記ディスプレイ１０３以外の既存の出力機構を利用して構成してもよいし、新たに設けた専用の機構（例えばスピーカや音声合成装置等の音声発生機構や発光機構、振動機構等）を利用して構成してもよい。また、各出力部２１、２２を共通の機構を用いて構成してもよいし、別々にしてもよい。
【００２４】
一方、送信装置Ｐ２は、例えば携帯電話であって、図７に示すように、ディスプレイ２０３、スピーカ２０４等の各種出力機構、変復調回路を含むデータ送受信機構２０６、キーボタン２０５、送話器２０７等の他、ＣＰＵ２０１やメモリ２０２を内蔵する。そしてメモリ２０２等に記憶させたプログラムにしたがってＣＰＵ２０１を作動させ、あるいはＣＰＵ２０１を介さないハード的な作用を利用して、図３に示すように、電話の基本機能の他、場所情報取得部３１、受取元識別子受付部３２、送信元識別子受付部３３、データ受付部３４、データ送信部３５等としての機能を発揮させるようにしたものである。
【００２５】
場所情報取得部３１は、場所情報発信源から発信される電波を、前記データ送受信機構２０６を構成する図示しない無線アンテナを利用して受信するとともに、この送信装置Ｐ２の場所を示す場所情報として算出し、その場所情報２０２をメモリの所定領域に蓄積するものである。本実施形態では、図１、図３に示すように、場所情報発信源であるＧＰＳ衛星ＧＰＳＳから発信される電波を利用して場所情報を取得するようにしているが、このようなＧＰＳについては公知であるので、その場所の特定方法等についての詳細な説明は省略する。なお、場所情報の取得には、ＰＨＳの基地局を場所情報発信源として用いることの他、ブルートゥース等による電波に場所情報を重畳させこれを取得するようにしてもよい。ブルートゥースを用いた例としては、図１２に示すように、例えば家の各部屋に、場所情報を含む電波を発信する場所情報発信源Ｑを設けておき、ここから発信される電波を送信装置Ｐ２の場所情報取得部３１が取得するようにしたものが挙げられる。なお、各発信源ＱはホームサーバＨＳに接続されており、発信すべき場所情報の管理はこのホームサーバＨＳに各発信源Ｑの識別子と対にして蓄積管理されている。
【００２６】
受取元識別子受付部３２は、キーボタン２０５等を利用して構成したものであって、例えば、データ受取元（この場合であれば通話相手）を特定するための受取元識別子の入力を受けつけ、メモリ２０２の所定領域に蓄積するものである。
【００２７】
送信元識別子受付部３３は、キーボタン２０５等を利用して構成したものであって、送信元を特定するための送信元識別子の入力を受けつけ、メモリ２０２の所定領域に蓄積するものである。
【００２８】
データ受付部３４は、送話器２０７等を利用して構成されるものであって、通話音声等を受けつけ、データ化するものである。
【００２９】
データ送信部３５は、送受信機構２０６等を利用して構成されるものであって、前記受取元識別子、場所情報、送信元識別子を含む受取データを送信するものである。
【００３０】
次に、前記受信装置Ｐ１及び送信装置Ｐ２の動作の一例を図８、図９を参照して以下に説明する。
【００３１】
例えば、送信装置Ｐ２側において、送信元から通話開始操作（この場合であれば、電話番号の入力等）がなされ（ステップＳ１１）、受取元識別子受付部３２が、前記受取元識別子の入力を受けつける（ステップＳ１２）と、場所情報取得部３１が場所情報を取得し（ステップＳ１３）、データ送信部３４が、受信装置Ｐ２に対して、前記受取元識別子、場所情報及び予めメモリに記憶させてある送信元識別子を送信する（ステップＳ１４）。
【００３２】
受信装置Ｐ１ではこれを受信部１が受信する（ステップＳ１）。
【００３３】
そして前記第１蓄積部５に蓄積されている受取元識別子のうちから受信した受取元識別子と合致するものを検索し（ステップＳ２）、それに対応づけられている出力態様情報であるディスプレイ発光色情報に基づいて、ディスプレイ１０３の一方の領域Ｓ１を受取元が視覚で区別できるように発光させる（ステップＳ３）。
【００３４】
また、これとともに受信した送信元識別子についても、前記第２蓄積部６に蓄積されている送信元識別子のうちから合致するものを検索し（ステップＳ４）、それに対応つけられている出力態様情報であるディスプレイ発光色情報に基づいて、ディスプレイ１０３の他方の領域Ｓ２を受取元が視覚で区別できるように発光させる（ステップＳ５）。
【００３５】
さらに受信した場所情報は、ディスプレイ１０３の所定領域ＳＴにテキスト出力する（ステップＳ６）。
【００３６】
その後、受話器が取られると、受取データのうちの残りの部分であるデータ本体が受信可能となり、前記スピーカ１０４等を利用して構成されるデータ出力部８から音声出力されて、通話できることができる。
【００３７】
したがって、本実施形態によれば、通話する前に、誰への電話か、誰からの電話か、どの場初から電話しているのかを受取元は知ることができる。
【００３８】
なお、本発明は前記実施形態に限定されるものではない。
【００３９】
例えば、前記実施形態において各出力部はディスプレイを利用して視覚を通じて受取元等が識別可能なように出力していたが、これをメロディや振動あるいは臭い等、他の４感を通じて識別可能に出力してもよい。その場合、出力に用いるハードウェアがその態様に応じて異なるのは言うまでもない。
【００４０】
また、受信装置は電話器に限らずファクシミリでもよいし、あるいは電子メールを受信可能なパソコンや携帯電話等の情報処理装置とし、前記実施形態同様の手法を用いて、電子メールの着信時あるいは電子メールを開封する前において、誰への電話か、誰からの電話か、どの場初から電話しているのかを受取元に知らせるようにしてもよい。
【００４１】
特にこの場合、前記受取元識別子は一つである必要はなく、これを複数にして、前記受取元出力部において複数の受取元を識別できるように出力することも考えられる。具体的にディスプレイを利用する場合であれば、ディスプレイを受取元の数に応じた複数に区分してそれぞれに受取元に対応付けた色を発させるとか、ディスプレイの色を時系列的に順次変えていくようにすればよいし、複数の音声を出力したり、振動を変化させて受取元に知らせる態様でも構わない。
【００４２】
また、図１０に示すように、前記受信部１で受信したデータがどのメディアにより送信されたデータであるか否かを判断するメディア判断部９と、前記受信部１がデータを受信した際に、前記メディア判断部９による判断に従って、どのメディアであるかを五感のうち一つ以上の感覚で区別できるように出力するメディア種別出力部１０とを設けるようにしてもよい。ここでいう受信装置は、例えばアナログ電話の他、ＩＰ電話や電子メールやＦＡＸ等にも対応可能なもので、メディアとは、アナログ電話、ＩＰ電話、電子メール、ＦＡＸ等のことである。そして、受信したデータの形式の違い、すなわちＦＡＸであればＧ３、電子メールであればｈｔｔｐといった違い、あるいは内容の違い等から、どのメディアであるのか判断して受取元に区別できるように出力する。
【００４３】
さらに、メディアとしてＣＡＴＶや衛星放送、地上波、ネットワーク等を区別できるようにしてもよい。この場合であれば、図１１に示すように各メディアに対応する受信部１Ａ〜１Ｄを設けておき、どの受信部１Ａ〜１Ｄで受信したかによりメディアの違いを判断すればよい。
【００４４】
加えて、受信部に受信拒否機能を具備させ、予め登録してある送信元からの着信の知らせをしないようにするようにしてもよいし、その場合には、受信拒否メッセージを返信するといったことを行うようにしてもよい。
【図面の簡単な説明】
【００４５】
【図１】本発明の実施形態における全体構成図
【図２】同実施形態における受信装置の内部機器構成図
【図３】同実施形態における受信装置及び送信装置の機能ブロック図
【図４】同実施形態における第１蓄積部の内容説明図
【図５】同実施形態における第２蓄積部の内容説明図
【図６】同実施形態におけるディスプレイの表示態様を特に示す態様説明図
【図７】同実施形態における送信装置の内部機器構成図
【図８】同実施形態における送信装置のデータ送信フロー
【図９】同実施形態における受信装置のデータ受信フロー
【図１０】本発明の他の実施形態における受信装置の機能ブロック図
【図１１】本発明のさらに他の実施形態における受信装置の機能ブロック図
【図１２】本発明のさらに他の実施形態における送信装置の場所情報取得態様を示す説明図
【符号の説明】
【００４６】
Ｐ１…受信装置
Ｐ２…送信装置
１…受信部
１０…メディア判断部
２１…受取元出力部
２２…場所情報出力部
３１…場所情報取得部
３５…送信部
【図１】
2006287984.tif 000003
【図２】
2006287984.tif 000004
【図３】
2006287984.tif 000005
【図４】
2006287984.tif 000006
【図５】
2006287984.tif 000007
【図６】
2006287984.tif 000008
【図７】
2006287984.tif 000009
【図８】
2006287984.tif 000010
【図９】
2006287984.tif 000011
【図１０】
2006287984.tif 000012
【図１１】
2006287984.tif 000013
【図１２】
2006287984.tif 000014